(57)【要約】【課題】電源異常による障害に対する保守を容易にする技術を提供する。【解決手段】複数の電源を監視する電源監視装置は、それぞれの前記電源の電圧値を取得する電圧値取得手段と、前記電源ごとに、前記電圧値取得手段により取得された前記電圧値が所定の範囲外の値であるか否かを判断する判断手段と、前記判断手段により、いずれかの電源の電圧値が前記閾値以下であると判断されたのであれば、該判断手段により判断された結果を示す判断結果情報を記憶する判断結果記憶手段と、前記判断手段により、いずれかの電源の電圧値が前記閾値以下であると判断されたのであれば、それぞれの前記電源の電圧値を記憶する電圧値記憶手段と、を有する。【選択図】図１
2010146278.tif 000002
【特許請求の範囲】
【請求項１】
複数の電源を監視する電源監視装置であって、
それぞれの前記電源の電圧値を取得する電圧値取得手段と、
前記電源ごとに、前記電圧値取得手段により取得された前記電圧値が所定の範囲外の値であるか否かを判断する判断手段と、
前記判断手段により、いずれかの電源の電圧値が前記閾値以下であると判断されたのであれば、該判断手段により判断された結果を示す判断結果情報を記憶する判断結果記憶手段と、
前記判断手段により、いずれかの電源の電圧値が前記閾値以下であると判断されたのであれば、それぞれの前記電源の電圧値を記憶する電圧値記憶手段と、
を有する電源監視装置。
【請求項２】
前記判断手段により、いずれかの前記電圧値が前記範囲外の値であると判断されたならば、前記電源監視装置を再起動する再起動手段を更に有する、請求項１に記載の電源監視装置。
【請求項３】
前記再起動手段は、前記判断手段により、いずれかの前記電圧値が前記範囲外の値であると判断されたとき、前記電圧値記憶手段が前記電圧値を記憶するのに要する時間が経過した後に、前記電源監視装置を再起動する、請求項２に記載の電源監視装置。
【請求項４】
前記再起動手段により前記電源監視装置が再起動されたとき、前記判断結果記憶手段から読み出した前記判断結果情報が、いずれかの電源の電圧値が前記閾値以下であることを示していれば、該電源の異常と前記電圧値記憶手段により記憶された前記電圧値とを示す障害情報を出力する出力手段を更に有する請求項３に記載の電源監視装置。
【請求項５】
ユーザの操作に応じて、電源の電圧値を記憶するように指示する電圧値記憶指示手段を更に有し、
前記電圧値記憶手段は、前記指示手段により前記電圧値を記憶するように指示されたとき、前記電源の電圧値を記憶する、請求項１乃至４のいずれか１項に記載の電源監視装置。
【請求項６】
ユーザの操作に応じて、電源の監視の開始を指示する監視開始指示手段を更に有し、
前記電圧値取得手段は、前記監視開始指示手段により電源の監視の開始が指示されたとき、前記電源の電圧値を取得する、請求項１乃至５のいずれか１項に記載の電源監視装置。
【請求項７】
ユーザの操作に応じて、判断結果の出力を指示する判断結果出力指示手段を更に有し、
前記判断手段は、前記判断結果出力指示手段により判断結果の出力が指示されたとき、前記電源ごとに、前記電圧値取得手段により取得された前記電圧値が所定の範囲外の値であるか否かを判断した結果を出力する、請求項１乃至６のいずれか１項に記載の電源監視装置。
【請求項８】
前記電圧値記憶手段は、定期的に前記電源の電圧値を記憶する、請求項１乃至７のいずれか１項に記載の電源監視装置。
【請求項９】
前記判断結果記憶手段は、定期的に前記判断結果情報を記憶する、請求項１乃至８のいずれか１項に記載の電源監視装置。
【請求項１０】
複数の請求項４に記載の電源監視装置と、
前記電源監視装置により出力された前記障害情報と、該障害情報を出力した電源監視装置を示す情報とを記録する制御装置と、
を有する基地局装置。
【請求項１１】
複数の電源を監視する電源監視方法であって、
電圧値取得手段が、それぞれの前記電源の電圧値を取得し、
判断手段が、前記電源ごとに、前記電圧値取得手段により取得された前記電圧値が所定の範囲外の値であるか否かを判断し、
判断結果記憶手段が、前記判断手段により、いずれかの電源の電圧値が前記閾値以下であると判断されたのであれば、該判断手段により判断された結果を示す判断結果情報を記憶し、
電圧値記憶手段が、前記判断手段により前記電圧値が前記閾値以下であると判断されたのであれば、前記複数の電源の電圧値を記憶する、電源監視方法。
【請求項１２】
複数の電源を監視する電源監視装置を制御するためのプログラムであって、
コンピュータに、
それぞれの前記電源の電圧値を取得する電圧値取得手順、
前記電源ごとに、前記電圧値取得手順で取得された前記電圧値が所定の範囲外の値であるか否かを判断する判断手順、
前記判断手順で、いずれかの電源の電圧値が前記閾値以下であると判断されたのであれば、該判断手順で判断された結果を示す判断結果情報を判断結果記憶手段に記憶する手順、及び
前記判断手順で前記電圧値が前記閾値以下であると判断されたのであれば、前記複数の電源の電圧値を電圧値記憶手段に記憶する手順、
を実行させるためのプログラム。
【発明の詳細な説明】
【技術分野】
【０００１】
本発明は、電源の異常を監視する技術に関する。
【背景技術】
【０００２】
一般に、複数の電源を有する下位装置と、その装置を監視する上位装置とからなる監視システムでは、下位装置は、それぞれの電源に電源監視デバイスを接続しておく。そして、各電源監視デバイスは、内部にもつ閾値と入力される電源電圧の値とを比較し、比較した結果を上位装置の監視制御部に通知する。電源デバイスのいずれかにおいて、監視した電圧値が閾値を下回ると、監視制御部は、下位装置に対してリセットをかけ、復旧を試みていた。また、上位装置は、下位装置の通信が途切れたか否かで、下位装置が正常であるか否かを監視していた。
【０００３】
電源異常を検出する技術として、特許文献１には、電源出力電圧を監視し、停止状態であればステータス０、動作状態であればステータス１を電源コントローラに通知する電源検出回路が開示されている。
【０００４】
特許文献２には、電源回路の電圧値データの変動履歴を記憶しておく給電制御システムが開示されている。この変動履歴を参照することにより、ユーザは、電源回路が異常となった場合に、故障解析ができる。
【０００５】
また、異常内容を検知する技術として、特許文献３には、電源投入時のみリセットされ、且つ異常発生時に異常内容がセットされるステータスレジスタを設けたＩ／Ｏ（Input/Output）制御部が記載されている。このステータスレジスタを参照することにより、ユーザは、システム運用中に発生した異常の内容を知ることができる。
【特許文献１】特開２００７−２０８３８０号公報
【特許文献２】特開２００５−３０１４７６号公報
【特許文献３】特開平７−２８７１６号公報
【発明の開示】
【発明が解決しようとする課題】
【０００６】
しかし、特許文献１に記載の監視システムでは、監視制御部は電源異常が通知されたことを受けて下位装置にリセットをかけるのみであり、電源障害時の電圧を読んだり、判定したりはしない。これでは、いずれかの電源において、電源供給先デバイスの急激な負荷変動の影響等により一時的に電圧低下が発生した場合であっても、下位装置にリセットがかかることがある。電源異常によりリセットされた場合であっても、下位装置は、異常の内容までは通知しないので、上位装置は、電源異常によりリセットされたのか、それ以外の原因によりリセットされたのかを判断することができなかった。
【０００７】
そして、電源異常による障害であった場合は、障害の発生が電源の負荷状態に起因するので、その負荷状態について同一条件を再現するのは困難であり、保守作業に多大な時間と労力が必要になっていた。
【０００８】
特許文献２に記載の給電制御システムは、電源の異常を検知できるが、電源が複数ある場合、いずれの電源で異常が生じたかを判断することはできなかった。このため、ユーザは、どの電源に障害が発生したのかを切り分ける必要があり、それだけでも困難な作業であった。
【０００９】
また、特許文献３に記載のステータスレジスタは電源投入時にリセットされてしまうので、Ｉ／Ｏ制御部自体に電力を供給する電源の異常により、リセットされた場合は、Ｉ／Ｏ制御部は、電源異常を検知できなかった。
【００１０】
このように、特許文献１〜３に記載の技術では、電源異常に起因して生じた障害に対する保守が困難であるという問題があった。
【００１１】
本発明は、電源異常による障害に対する保守を容易にする技術を提供することを目的とする。
【課題を解決するための手段】
【００１２】
上記目的を達成するために、本発明の電源監視装置は、複数の電源を監視する電源監視装置であって、それぞれの前記電源の電圧値を取得する電圧値取得手段と、前記電源ごとに、前記電圧値取得手段により取得された前記電圧値が所定の範囲外の値であるか否かを判断する判断手段と、前記判断手段により、いずれかの電源の電圧値が前記閾値以下であると判断されたのであれば、電圧値が該範囲外の電源を示す判断結果情報を記憶する判断結果記憶手段と、前記判断手段により、いずれかの電源の電圧値が前記閾値以下であると判断されたのであれば、それぞれの前記電源の電圧値を記憶する電圧値記憶手段と、を有する。
【００１３】
本発明の基地局装置は、複数の前記電源監視装置と、前記電源監視装置により出力された前記障害情報と、該障害情報を出力した電源監視装置を示す情報とを記録する制御装置と、を有する。
【００１４】
本発明の電源監視方法は、複数の電源を監視する電源監視方法であって、電圧値取得手段が、それぞれの前記電源の電圧値を取得し、判断手段が、前記電源ごとに、前記電圧値取得手段により取得された前記電圧値が所定の範囲外の値であるか否かを判断し、判断結果記憶手段が、前記判断手段により、いずれかの電源の電圧値が前記閾値以下であると判断されたのであれば、該判断手段により判断された結果を示す判断結果情報を記憶し、電圧値記憶手段が、前記判断手段により前記電圧値が前記閾値以下であると判断されたのであれば、前記複数の電源の電圧値を記憶する、電源監視方法である。
【００１５】
本発明のプログラムは、複数の電源を監視する電源監視装置を制御するためのプログラムであって、コンピュータに、それぞれの前記電源の電圧値を取得する電圧値取得手順、前記電源ごとに、前記電圧値取得手順で取得された前記電圧値が所定の範囲外の値であるか否かを判断する判断手順、前記判断手順で、いずれかの電源の電圧値が前記閾値以下であると判断されたのであれば、該判断手順で判断された結果を示す判断結果情報を判断結果記憶手段に記憶する手順、及び前記判断手順で前記電圧値が前記閾値以下であると判断されたのであれば、前記複数の電源の電圧値を電圧値記憶手段に記憶する手順、を実行させるためのプログラムである。
【発明の効果】
【００１６】
本発明によれば、電源監視装置は、複数の電源のそれぞれの電圧値を取得し、電源ごとに電圧値が所定の範囲外の値であるか否かを判断した結果を記憶しておくので、いずれかの電源異常による障害が生じた場合であっても、どの電源に異常が生じたかを判断できる。また、電源監視装置は、いずれかの電源の電圧値が所定の範囲外であれば、各電源の電圧値を記憶しておくので、電源による障害が発生したときに、各電源の負荷状態を取得できる結果、電源異常による障害に対する保守が容易となる。
【発明を実施するための最良の形態】
【００１７】
（第１の実施形態）
本発明を実施するための第１の実施形態について図面を参照して詳細に説明する。図１は、本発明の電源監視装置１の構成を示すブロック図である。電源監視装置は、複数の電源（ＰＳ等）を監視するための装置である。同図を参照すると、電源監視装置１は、電源ごとに設けた、複数の電圧値記憶装置（１３等）と、監視制御部１５とを有する。
【００１８】
それぞれの電源（ＰＳ等）は、電源監視制御装置１に電力を供給する。
【００１９】
電圧値記憶装置（１３等）は、対応する電源の電圧値を監視し、電圧値を記憶するデバイスである。電圧値記憶装置（１３等）は、監視対象の電源の電圧値を示すアナログの電圧信号をデジタル信号に変換して、監視制御部１５へ出力する。
【００２０】
監視制御部１５は、電圧値取得部１５１、閾値格納部１５３、比較部１５５、および制御部１５７を有する。電圧値取得部１５１は、電圧値記憶装置（１３等）から電圧信号を受信することにより、各電源の電圧値を取得し、レジスタ（不図示）等に格納する。ここで、電圧値監視部（ＰＳ等）と監視制御部１５との間の通信インターフェースとしては、フィリップス社が提唱したＩ２Ｃ（Inter-Integrated Circuit）バス（登録商標）などが用いられる。
【００２１】
閾値格納部１５３は、電源ごとに予め設定された閾値を格納する。これらの閾値は、各電源が正常であるか異常であるかを判断するための基準として使用される。
【００２２】
比較部１５５は、電源ごとに、取得された電圧値と、閾値とを比較する。比較部１５５は、電圧値が閾値未満の電源を異常、そうでない電源を正常と判断して、比較した結果を示す比較結果情報１５５１を作成し、レジスタなどの記憶媒体に記憶しておく。
【００２３】
制御部１５７は、いずれかの電源に異常が検出されたとき、電圧値記憶装置に電圧値を記憶するように指示する制御信号を出力する。そして、制御部１５７は、電源監視装置１をリセット（再起動）する。復旧後に、制御部１５７は、比較結果情報１５５１を読み出す。比較結果情報１５５１が、いずれかの電源に異常が検出されたことを示していれば、制御部１５７は、各電圧値記憶装置（１３等）、および比較部１５５より読み出した情報から、電源の状態（正常、または異常）と電圧値とを示す障害情報１５７１を作成して出力する。
【００２４】
図２は、電圧値記憶装置１３の構成を示すブロック図である。同図を参照すると、電源記憶装置１３は、Ａ／Ｄ（Analog/Digital）コンバータ１３１、制御部１３３、および記憶部１３５を有する。
【００２５】
Ａ／Ｄコンバータ１３１は、監視対象の電源ＰＳの電圧値を示すアナログの電圧信号をデジタル信号に変換し、制御部１３３へ出力する。
【００２６】
制御部１３３は、Ａ／Ｄコンバータ１３１により変換された電圧信号を監視制御部１５へ出力する。監視制御部１５から電圧値の記憶部１３５への格納を指示する制御信号を受信したとき、制御部１３３は、電圧信号を、記憶部１３５に格納する。また、監視制御部１５から電圧値の読み出しを指示する制御信号を受信したとき、制御部１３３は、記憶部１３５から電圧値を示す情報を読み出し、監視制御部１５へ出力する。
【００２７】
記憶部１３５は、不揮発性の情報記憶媒体である。記憶部１３５は、例えば、ＥＥＰＲＯＭ（Electrically Erasable Programmable ROM）である。
【００２８】
他の電圧値記憶装置の構成も、電圧値記憶装置１３と同様の構成である。
【００２９】
図３は、比較結果情報１５５１のフォーマットの一例を示す図である。同図を参照すると、比較結果情報１５５１は、監視対象の電源の数に等しい数のビットから構成される。各ビットは各電源に対応付けられ、対応する電源が正常である場合、「０」が設定され、異常である場合は「１」が設定される。初期状態においては、全てのビットに「０」が設定される。
【００３０】
図４は、障害情報１５７１の示す内容をまとめた表である。同図を参照すると、障害情報１５７１は、各電源の電圧値を示す情報と、各電源が正常であるか否かを示す情報とを含む。
【００３１】
図５は、本実施形態の電源監視装置１の動作を示すフローチャートである。この動作は、電源監視装置１に電源が投入されたときに開始する。このフローチャートは、例えば、ＦＰＧＡ（Field Programmable Gateway Array）プログラムにより実現される。
【００３２】
図５を参照すると、電圧値取得部１５１は、電圧値記憶装置（１３等）から電圧信号を受信することにより、各電源の電圧値を取得する（ステップＳ１）。比較部１５５は、電源異常検出処理を実行し（ステップＳ３）、制御部１５７は、障害情報出力処理（ステップＳ５）を実行する。ステップＳ５の後、この動作は終了する。
【００３３】
図６は、本実施形態の電源異常検出処理を示すフローチャートである。同図を参照すると、比較部１５５は、各電源に設定された閾値を閾値格納部１５３から読み出す（ステップＳ３１）。比較部１５５は、監視対象の電源のうち、電圧値と閾値を比較していない電源を選択する（ステップＳ３３）。比較部１５５は、選択した電源の電圧値が、その電源に設定された閾値未満であるか否かを判断する（ステップＳ３５）。
【００３４】
電圧値が閾値未満であれば（ステップＳ３５：ＹＥＳ）、比較部１５５は、選択した電源の異常を検出し、比較結果情報１５５１における、その電源に対応するビットを「１」に設定する（ステップＳ３７）。
【００３５】
電圧値が閾値未満でない場合（ステップＳ３５：ＮＯ）、またはステップＳ３７の後、比較部１５５は、全ての電源について、電圧値と閾値とを比較したか否かを判断する（ステップＳ３９）。全ての電源について比較していなければ（ステップＳ３９：ＮＯ）、比較部１５５は、ステップＳ３３に戻る。全ての電源について比較していれば（ステップＳ３９：ＹＥＳ）、比較部１５５は、ヒアっく結果情報１５５１を更新し（ステップＳ４１）、電源異常検出処理を終了する。
【００３６】
図７は、障害情報出力処理を示すフローチャートである。同図を参照すると、制御部１５７は、比較結果情報１５５１に「１」の値のビットが含まれているか否か、即ち、いずれかの電源に異常が検出されたか否かを判断する（ステップＳ５１）。
【００３７】
いずれかの電源に異常が検出されたのであれば（ステップＳ５１：ＹＥＳ）、制御部１５７は、電圧値の記憶を指示する制御信号を、各電圧値記憶装置（１３等）へ出力する（ステップＳ５２）。
【００３８】
制御部１５７は、制御信号を出力してから、電圧値記憶装置（１３等）に電圧値が記憶されるので十分なだけの所定時間が経過したか否かを判断する（ステップＳ５３）。所定時間が経過していなければ（ステップＳ５３：ＮＯ）、制御部１５７は、ステップＳ５３に戻る。
【００３９】
所定時間が経過したのであれば（ステップＳ５３：ＮＯ）、制御部１５７は、電源監視装置１aをリセットする（ステップＳ５４）。そして、制御部１５７は、電源監視装置１ａが復旧したか否かを判断する（ステップＳ５５）。復旧していなければ（ステップＳ５５：ＮＯ）、制御部１５７は、ステップＳ５５に戻る。
【００４０】
復旧したのであれば（ステップＳ５５：ＹＥＳ）、制御部１５７は、比較結果情報１５５１を参照し、いずれかの電源に異常が検出されたか否かを判断する（ステップＳ５６）。いずれかの電源に異常が検出されたのであれば（ステップＳ５６：ＹＥＳ）、制御部１５７は、各電圧値記憶装置（１３等）および比較部１５５から読み出した情報から障害情報１５７１を作成し、出力する（ステップＳ５７）。
【００４１】
いずれの電源にも異常が検出されていない場合（ステップＳ５１、Ｓ５６：ＮＯ）、またはステップＳ５７の後、制御部１５７は、障害情報出力処理を終了する。
【００４２】
図８は、電圧値記憶装置１３の動作を示すフローチャートである。この動作は、電圧値記憶装置１３の電源が投入されたときに開始し、周期的に実行される。同図を参照すると、制御部１３３は、電圧値を記憶するように指示する制御信号を監視制御部１５から受信したか否かを判断する（ステップＴ１）。
【００４３】
電圧値の記憶を指示する制御信号を受信したのであれば（ステップＴ１：ＹＥＳ）、制御部１３３は、Ａ／Ｄコンバータ１３１により変換された電圧信号を記憶部１３５に格納する（ステップＴ３）。
【００４４】
電圧値の記憶を指示する制御信号を受信していなければ（ステップＴ１：ＮＯ）、制御部１３３は、電圧値を読み出すように指示する制御信号を監視制御部１５から受信したか否かを判断する（ステップＴ５）。電圧値の読み出しを指示する制御信号を受信していれば（ステップＴ５：ＹＥＳ）、制御部１３３は、電圧信号を記憶部１３５から読出し、監視制御部１５へ出力する（ステップＴ７）。
【００４５】
電圧値の読み出しを指示する制御信号を受信していなければ（ステップＴ５：ＮＯ）、制御部１３３は、Ａ／Ｄコンバータ１３１により変換された電圧信号を監視制御部１３５へ出力する（ステップＴ９）。ステップＴ３、Ｔ７、またはＴ９の後、制御部１２３は、動作を終了する。
【００４６】
他の電圧値記憶装置の動作も、電圧値記憶装置１３と同様である。
【００４７】
図９を参照して、本実施形態の電源監視装置１の動作結果の一例について説明する。同図は、電源監視装置１が監視する電源Ａ、Ｂ、およびＣの電圧変動を示す図である。同図の縦軸は、電圧値、横軸は時間を示す。同図の一点鎖線は、各電源の閾値である。
【００４８】
図９に示すように、時刻ｔ１の時点において、電源Ｂの電圧低下が生じ、電圧値が閾値未満となったので、監視制御部１５は、電源Ｂの異常を検出する（ステップＳ３７）。
【００４９】
監視制御部１５は、所定時間が経過した後、時刻ｔ２の時点において各電源記憶装置に各電圧値を格納し（ステップＳ５２）、電源監視装置１ａをリセットする（ステップＳ５４）。復旧後に監視制御部１５は、障害情報１５７１を出力する（ステップＳ５７）。
【００５０】
なお、本実施形態では、電源監視装置１は電圧値が閾値未満であるときに、電源の異常を検出しているが、電圧値が所定値以上であるときなど、電圧値が所定の範囲外であるときに電源の異常を検出してもよい。
【００５１】
本実施形態では、監視制御部１５は、電源の異常を検出したときにのみ、電圧値を電圧値記憶装置に記憶する構成としているが、定期的に電圧値を記憶する構成としてもよい。
【００５２】
本実施形態では、監視制御部１５は、電源の異常を検出したときに、比較結果情報１５５１を更新する構成としているが、定期的に電圧値と閾値とを比較し、比較結果情報１５５１を記憶する構成としてもよい。
【００５３】
本実施形態では、ハードウェアプログラムにより図４〜図６に記載のフローチャートを実現しているが、これらの全部または一部をソフトウェアプログラムにより実現することもできる。
【００５４】
本実施形態では、電源監視装置１は、障害情報１５７１を上位装置に送信しているが、障害情報１５７１の示す内容を表示装置に表示したり、印刷装置で印刷したりすることもできる。
【００５５】
本実施形態では、障害情報１５７１の示す内容には、正常な電源と、その電圧値も含まれるが、電源監視装置１は、異常な電源と、その電圧値のみを示す情報を障害情報１５７１として出力してもよい。
【００５６】
本実施形態では、電源監視装置１は、リセット後に障害情報１５７１を出力しているが、リセット前に障害情報１５７１を出力することもできる。
【００５７】
以上説明したように、本実施形態によれば、電源監視装置１は、複数の電源（ＰＳ等）のそれぞれの電圧値を取得し、電源ごとに電圧値が所定の範囲外の値であるか否かを判断した結果を記憶しておくので、いずれかの電源異常による障害が生じた場合であっても、どの電源に異常が生じたかを判断できる。また、電源監視装置は、いずれかの電源の電圧値が所定の範囲外であれば、各電源の電圧値を記憶しておくので、電源による障害が発生したときに、各電源の負荷状態を取得できる結果、電源異常による障害に対する保守が容易となる。
【００５８】
また、電源異常が生じた場合でも、電源監視装置１は、自ら再起動することにより、早期にシステムを復旧できる。
【００５９】
制御部１５７は、電圧値が閾値未満（所定の範囲外）であれば、電圧値記憶装置が電圧値を記憶するのに要する時間が経過した後に、電源監視装置１をリセット（再起動）するので、電圧値を確実に記憶しておくことができる。
【００６０】
監視制御部１５は、再起動後に、比較結果情報１５７１が、いずれかの電源の異常を示していれば、各電源の状態および電圧値を示す障害情報を出力するので、異常が生じた電源が監視制御部１５に電力を供給する電源であった場合であっても、監視制御部１５は、電圧信号や比較結果情報１５７１を復旧後に確実に読み出すことができる。
【００６１】
（第２の実施形態）
図１０および図１１を参照して本発明の第３の実施形態について説明する。図１０は、本実施形態の電源監視装置１ａの構成を示すブロック図である。同図を参照すると、電源監視装置１ａの構成は、ＣＰＵ（Central Processing Unit）１６を更に有する以外は、第１の実施形態の電源監視装置１と同様の構成である。
【００６２】
ＣＰＵ１６は、ユーザの操作などに応じて、閾値の設定値を示す情報を監視制御部１５へ出力する。また、ＣＰＵ１６は。電源の監視の開始を指示する制御信号を監視制御部１５へ出力し、比較結果情報１５５１を監視制御部１５から読み出す。
【００６３】
図１１は、本実施形態の監視制御装置１ｂの動作を示すシーケンス図である。同図を参照すると、ＣＰＵ１６は、ユーザの操作などに応じて、閾値の設定値を示す情報を監視制御部１５へ出力する（ステップＵ１）。そして、この閾値は、閾値格納部１５３に格納される。
【００６４】
ＣＰＵ１６は。電源の監視の開始を指示する制御信号を監視制御部１５へ出力する（ステップＵ３）。監視制御部１５は、各電源の電圧値を取得し（ステップＳ１）、電源異常検出処理を実行する（ステップＳ５）。
【００６５】
ＣＰＵ１６は、電源の監視の開始を指示してから、電源異常検出処理が終了するのに要する時間が経過してから、ユーザの操作に応じて、比較結果情報１５５１を監視制御部１５から読み出す（ステップＵ５）。
【００６６】
なお、本実施形態では、ＣＰＵ１６は、ユーザの操作に応じて電源監視の開始の指示等を行っているが、上位装置からの指示や、所定の時刻になったときなどに監視開始等を指示する構成としてもよい。
【００６７】
以上説明したように、本実施形態によれば、ＣＰＵ１６が電源の監視の開始を指示できるので、ユーザは、任意のタイミングで電源の監視を開始できる。
【００６８】
また、電源監視装置１ｂは、ＣＰＵ１６の指示により、比較結果情報１５５１を読み出すので、ユーザは、任意のタイミングで電源の状態を知ることができる。
【００６９】
（第３の実施形態）
図１２を参照して本発明の第３の実施形態について説明する。本実施形態の電源監視装置の構成は、第２の実施形態の電源監視装置１ａの構成と同様である。但し、ＣＰＵ１６が、電圧値を記憶するように指示する点で本実施形態は第２の実施形態と異なる。
【００７０】
図１２は、本実施形態の電源監視装置１ａの動作を示すフローチャートである。同図を参照すると、ＣＰＵ１６は、閾値設定後（ステップＵ１）、ユーザの操作などに応じて電圧値の記憶を指示する制御信号を監視制御部１５へ出力する（ステップＵ２）。監視制御部１５は、この制御信号に応じて、電圧値の記憶を指示する制御信号を電圧値記憶装置（１３等）へ出力する（ステップＳ０）。電圧値記憶装置（１３等）は、この制御信号に応じて電圧信号を記憶部１３５に記憶する（ステップＴ３）。
【００７１】
以上説明したように、本実施形態によれば、ＣＰＵ１６が電圧値の記憶を指示できるので、ユーザは、任意のタイミングで電圧値を記録しておくことでき、利便性が向上する。
【００７２】
（第４の実施形態）
図１３を参照して本発明の第４の実施形態について説明する。同図は、本実施形態の電源監視装置１ｄの構成を示すブロック図である。同図を参照すると、電源監視装置１ｃの構成は、電源ごとに電圧値監視装置（１２等）を更に有する以外は、第１の実施形態の電源監視装置１の構成と同様である。
【００７３】
電源監視装置１２は、対応する電源の電圧値を示すアナログの電圧信号をデジタル信号に変換して監視制御部１５へ出力する。
【００７４】
本実施形態によれば、電源監視装置１ｃが電圧値記憶装置と、電圧値監視装置とを別々に設けているので、電圧値記憶装置が故障しても、電圧値監視装置で電源の監視を行うことができる。
【００７５】
（第５の実施形態）
図１４を参照して本発明の第５の実施形態について説明する。同図は、第１の実施形態の電源監視装置１を無線基地局Ａ１に組み込んだ無線基地局Ａ１の構成を示す全体図である。無線基地局Ａ１は、無線基地局の電源を監視する。同図を参照すると、無線基地局Ａ１は、ベースバンド制御部Ｂ１と、複数のベースバンド部（Ｃ１等）とを有する。
【００７６】
ベースバンド部Ｃ１は、第１の実施形態の電源監視装置１を有する。他のベースバンド部の構成は、ベースバンド部Ｃ１の構成と同様である。
【００７７】
ベースバンド制御部Ｂ１は、各ベースバンド部から障害情報（１５７１）が送信されたとき、その障害情報と、そのベースバンド部とを示す情報を記録しておく。この情報は、ベースバンド部の修理の際に用いられる。
【００７８】
以上説明したように、本実施形態によれば、複数のバースバンド部（電源監視装置）から送信された障害情報をバースバンド制御部が記録しておくので、その内容に基づき、効率的に保守作業を行うことができる結果、システムの保守が容易となる。
【図面の簡単な説明】
【００７９】
【図１】本発明の第１の実施形態の電源監視装置の構成を示すブロック図である。
【図２】本発明の第１の実施形態の電圧値記憶装置の構成を示すブロック図である。
【図３】本発明の第１の実施形態の比較結果情報のフォーマットの一例を示すブロック図である。
【図４】本発明の第１の実施形態の障害情報の示す内容をまとめた表である。
【図５】本発明の第１の実施形態の電源監視装置の動作を示すフローチャートである。
【図６】本発明の第１の実施形態の電源異常検出処理を示すフローチャートである。
【図７】本発明の第１の実施形態の障害情報出力処理を示すフローチャートである。
【図８】本発明の第１の実施形態の電圧値記憶装置の動作を示すフローチャートである。
【図９】本発明の第１の実施形態の電源の電圧変動を示す図である。
【図１０】本発明の第２の実施形態の電源監視装置の構成を示すブロック図である。
【図１１】本発明の第２の実施形態の電源監視装置の動作を示すシーケンス図である。
【図１２】本発明の第３の実施形態の電源監視装置の動作を示すシーケンス図である。
【図１３】本発明の第４の実施形態の電源監視装置の構成を示すブロック図である。
【図１４】本発明の第５の実施形態の無線基地局の構成を示すブロック図である。
【符号の説明】
【００８０】
１、１ａ、１ｃ    電源監視装置
ＰＳ    電源
１２    電圧値監視装置
１３    電圧値記憶装置
１５    監視制御部
１６    ＣＰＵ
１３１    Ａ／Ｄコンバータ
１３３    制御部
１３５    記憶部
１５１    電圧値取得部
１５３    閾値格納部
１５５    比較部
１５７    制御部
１５５１    比較結果情報
１５７１    障害情報
Ａ１    無線基地局
Ｂ１    ベースバンド制御部
Ｃ１、Ｃ２    ベースバンド部
ｔ１、ｔ２    時刻
Ｓ１〜Ｓ５、Ｓ３１〜Ｓ３７、Ｓ５１〜Ｓ５７、Ｔ１〜Ｔ９、Ｕ１〜Ｕ５    ステップ
【図１】
2010146278.tif 000003
【図２】
2010146278.tif 000004
【図３】
2010146278.tif 000005
【図４】
2010146278.tif 000006
【図５】
2010146278.tif 000007
【図６】
2010146278.tif 000008
【図７】
2010146278.tif 000009
【図８】
2010146278.tif 000010
【図９】
2010146278.tif 000011
【図１０】
2010146278.tif 000012
【図１１】
2010146278.tif 000013
【図１２】
2010146278.tif 000014
【図１３】
2010146278.tif 000015
【図１４】
2010146278.tif 000016